(57)【要約】【課題】ヒトの肌に直に接触する衣類としての吸汗性に優れると共に、脱臭性や耐洗濯性をも有する肌着（特に和装肌着）を提供する。【解決手段】本発明の肌着は、後身頃１１、左及び右の前身頃１２，１３、並びに、左及び右の袖１４，１５からなる表地１と、前記表地１の内面側に取り付けられた裏地２とを備えている。そして、前記表地１及び裏地２のいずれもが、和紙製の糸を織ることで得られる和紙製の織布で形成されている。また、左及び右の袖１４，１５の各々の付け根位置には、腋汗用の汗取りパッド３が取りつけられている。この汗取りパッド３も、上記和紙製の織布からなる。【選択図】図１
2020015987.tif 000002
【特許請求の範囲】
【請求項１】
後身頃、左及び右の前身頃、並びに、左及び右の袖からなる表地（１）と、
前記表地の内面側に取り付けられた裏地（２）と、
を備えた肌着であって、
前記表地（１）及び前記裏地（２）のいずれもが、和紙製の糸を織ることで得られる和紙製の織布で形成されている、ことを特徴とする肌着。
【請求項２】
前記裏地（２）は、当該肌着の幅方向に延びる帯状の布地として提供されると共に、当該肌着のヒトへの着用時に、ヒトの両乳首を結ぶ仮想水平線の高さよりも下で且つヒトの臍の高さよりも上に位置する高さ領域において、前記左の前身頃、前記後身頃および前記右の前身頃にわたって延びるように、前記裏地（２）が前記表地（１）の内面側に取り付けられている、ことを特徴とする請求項１に記載の肌着。
【請求項３】
前記左及び右の袖の各々の付け根位置で、且つ当該肌着のヒトへの着用時にヒトの腋が当たり得る位置には、汗取りパッド（３）が取り付けられており、前記汗取りパッドは、和紙製の糸を織ることで得られる和紙製の織布で形成されている、ことを特徴とする請求項１又は２に記載の肌着。
【発明の詳細な説明】
【技術分野】
【０００１】
本発明は肌着に関するものであり、特に、和装用の肌着やスリップの類に関する。
【背景技術】
【０００２】
一般に和服の着用時には、和装用の肌着（「和装肌着」と略称される）を併せて着用するのが通例となっている。和装肌着を構成する布地としては、伝統的には、綿、麻あるいは絹からなる糸を機で織って成る織布が用いられている。また近年では、例えば特許文献１にあるように、吸水性、速乾性、更には防水性（着物を汗等で汚さないための防水性）の確保を意図して、中空ポリエステル原綿からなる表地及び裏地と、撥水生地からなる中生地とを組み合わせて構成した和装汗取り肌着が提案されている。
【先行技術文献】
【特許文献】
【０００３】
【特許文献１】実用新案登録第３１４８２９７号公報
【発明の概要】
【発明が解決しようとする課題】
【０００４】
しかしながら、綿、麻あるいは絹などの伝統的素材の織布といえども、その吸汗性（汗の吸い取り性能）は必ずしも満足のいくレベルにあったとは言い難い。他方、ポリエステル原綿の布地では、自然な風合いに欠けると共に、着心地が良くない。
【０００５】
本発明の目的は、ヒトの肌に直に接触する衣類としての吸汗性に優れるのみならず、脱臭性や耐洗濯性をも確保した肌着、特に和装肌着を提供することにある。
【課題を解決するための手段】
【０００６】
本発明は、後身頃、左及び右の前身頃、並びに、左及び右の袖からなる表地（１）と、前記表地の内面側に取り付けられた裏地（２）と、を備えた肌着であって、
前記表地（１）及び前記裏地（２）のいずれもが、和紙製の糸を織ることで得られる和紙製の織布で形成されていることを特徴とする肌着である。
【０００７】
好ましくは、前記裏地（２）は、当該肌着の幅方向に延びる帯状の布地として提供されると共に、当該肌着のヒトへの着用時に、ヒトの両乳首を結ぶ仮想水平線の高さよりも下で且つヒトの臍の高さよりも上に位置する高さ領域において、前記左の前身頃、前記後身頃および前記右の前身頃にわたって延びるように、前記裏地（２）が前記表地（１）の内面側に取り付けられている。
【０００８】
更に好ましくは、前記左及び右の袖の各々の付け根位置で、且つ当該肌着のヒトへの着用時にヒトの腋が当たり得る位置には、汗取りパッド（３）が取り付けられており、前記汗取りパッドは、和紙製の糸を織ることで得られる和紙製の織布で形成されている。
【発明の効果】
【０００９】
本発明によれば、肌着の主要な構成要素である表地および裏地のいずれもが、和紙製の糸を織ることで得られる和紙製の織布で形成されているため、吸汗性に優れると共に脱臭性にも優れている。また、和紙製の織布からなる肌着であっても、洗濯によって直ちに型崩れ等を起こすものではなく、実用に耐える程度の耐洗濯性を備えている。
【００１０】
また、裏地を前述のような帯状の布地として提供することで、ヒトが最も汗を掻きやすい背中及び／又は胸の上半部から汗を吸い取ることができる。更に、前述のような汗取りパッドを設けることで、腋汗を効率的に吸い取ることができる。
【図面の簡単な説明】
【００１１】
【図１】本発明の一実施形態に従う肌着の概略正面図。
【図２】本発明の一実施形態で使用する裏地を左右に展開した状態の概略正面図。
【図３】本発明の一実施形態で使用する汗取りパッドを示し、（Ａ）は汗取りパッドを展開した状態の平面図、（Ｂ）は汗取りパッドを二つ折りした状態の斜視図。
【図４】（Ａ）は図１の肌着の一側面における腋穴付近の拡大図、（Ｂ）は前記（Ａ）の反対側から見た肌着側面の内側における腋穴付近の拡大図。
【図５】前身頃を外方向に開いて肌着の内側部分を見せている概略正面図。
【発明を実施するための形態】
【００１２】
本発明では、肌着の各パーツを構成するための布地として、「和紙製の糸を織ることで得られる和紙製の織布」を使用する。この和紙製の織布は、経糸及び緯糸として和紙製の糸（好ましくは和紙製の撚糸）を用い、これを手動織機又は自動織機にて織って（つまり織成して）得た織布である。この場合、経糸および緯糸として用いる糸は、１００％和紙製の糸であることが最も好ましい。ただし、糸の全素材に占める和紙の重量比率が９５％以上のものであれば、実質的に和紙製の糸と言うことができ、本発明において使用可能である。この場合において、糸の全素材の残り５％未満を占める和紙以外の素材としては、綿、麻あるいは絹などを例示することができる。
【００１３】
本明細書において「和紙」とは、コウゾやミツマタ等を原料として得られる紙素材を意味し、一般に木材パルプ原料から生産される「洋紙」とは区別されるものである。洋紙と対比した和紙の特徴としては、「洋紙に比べて格段に繊維が長いため、薄くとも強靭で寿命が比較的長く、独特の風合いをもつ」という点があげられる。
【００１４】
なお、本発明においては「和紙製の織布」の有意な特徴として、吸汗性のほかに脱臭性があることを見出した。即ち、本発明の肌着を着用することで、着用者の体臭が周囲に洩れるのを大幅に緩和することができる。
【００１５】
［発明の好ましい実施形態］
以下、本発明の一実施形態に従う和装肌着について図面を参照しつつ説明する。
図１に示すように、本実施形態の和装肌着は主として、表地１と、その表地１の内面側に取り付けられる裏地２（破線で示す）とから形成されている。また図１に示すように、本実施形態の和装肌着には、ヒトの左右の腋に対応した各位置において左右一対の汗取りパッド３（破線で示す）が設けられている。
【００１６】
図１に示すように、表地１は、後身頃１１、左及び右の前身頃１２，１３、並びに、左及び右の袖１４，１５から構成されている。左右の前身頃１２，１３のそれぞれの内端部には、幅細な紐１６が取り付けられており、表地１の一部には、紐１６を通すための紐通し穴（図示せず）が必要に応じて設けられている。本実施形態では、表地１及び裏地２のいずれもが、和紙１００％の糸を織ることで得られた和紙製のガーゼ状織布を用いて形成されている。
【００１７】
図２は、肌着を構成するパーツとしての裏地２を左右に展開した状態で示す。図２に示すように、裏地２は、肌着の幅方向に延びる帯状の布地として提供されている。この帯状の布地（２）は、上記和紙製のガーゼ状織布を一重、二重、三重、又はそれ以上の多重重ね状態のいずれで構成してもよい。この裏地２は、左の前身頃１２、後身頃１１および右の前身頃１３にわたって横方向に延びるように（つまり、肌着着用者の胴回りを一周するがごとく）前記表地１の内面側に取り付け可能な幅方向寸法を有している。また、この裏地２は、当該肌着のヒトへの着用時に、ヒトの両乳首を結ぶ仮想水平線の高さよりも下で且つヒトの臍（へそ）の高さよりも上の高さ領域に位置し得るように前記表地１の内面側に取り付けられ、そのような取り付け状態を実現するような高さ方向寸法（上下寸法）を有している。
【００１８】
裏地２の上縁には、後身頃１１と左の前身頃１２との境界位置および後身頃１１と右の前身頃１３との境界位置に相当する各位置において、それぞれスリット（切り込み）２１が設けられている。これらのスリット２１は、後述する左右の腋穴（５）に対応させたものである。スリット２１の各々は、一対のスリット縁２１ａによって縁取られている。
【００１９】
図３（Ａ）及び（Ｂ）は、肌着を構成するパーツとしての汗取りパッド３を示す。図３（Ａ）に示すように、汗取りパッド３は、概ね半円形状の布片３１を複数枚重ねた状態でそれらの周縁部（具体的には第１周縁部３２および第２周縁部３３）の全部又は一部を糸で互いに縫い合わせてなる追加部材である。この汗取りパッド３を形成する布片３１は、表地１及び裏地２で使用したのと同じ「和紙１００％の糸を織ることで得られた和紙製のガーゼ状織布」である。図３（Ｂ）に示すように、汗取りパッド３は、中央の折り目線３４に沿って二つ折り状態とすることができ、肌着本体への縫い付け後は、その二つ折り状態が維持される。なお、汗取りパッド３の二つ折り状態では、第１周縁部３２は、その方向から見てＶ字形をなす。
【００２０】
図４（Ａ）は、和装肌着の一方の側面（即ち、図１中の矢印Ａで示す側から見た側面）における腋穴及びその近傍を拡大して示す。図４（Ｂ）は、図４（Ａ）の裏側（反対側）であって、前記矢印Ａの反対側から見た和装肌着の内側面における腋穴及びその近傍を示す。更に図５は、左の前身頃１２を外方向に開いて肌着の内側部分（特に汗取りパッド３及びその周辺）を見せるようにした概略図である。
【００２１】
図４（Ａ），（Ｂ）及び図５に示すように、左の袖１４の付け根位置であって当該肌着のヒトへの着用時にヒトの腋が当たる位置には、腋穴５が確保されている。この腋穴５は、左前身頃１２と後身頃１１と左袖１４とが交わる部位において、この交わる部位の所定範囲を意図的に縫い合わせないことによって形成されたものである。ちなみに、前述の裏地２の左右のスリット２１は、和装肌着の左右の腋穴５にそれぞれ対応する。
【００２２】
図４に示すように、例えば左の腋穴５の輪郭は、左前身頃１２の縁１２ａ、後身頃１１の縁１１ａ、並びに左袖１４の付け根にある二つの縁１４ａ，１４ｂによって縁取られている。そして、左前身頃の縁１２ａおよび後身頃の縁１１ａに沿ってできるＶ字形の縁に対応して、裏地２のスリット２１を形作っている一対のスリット縁２１ａがあてがわれると共に、汗取りパッド３の第１周縁部３２（二つ折り時にはＶ字形をなす）が同様にあてがわれている。そして、前身頃（又は後身頃）と裏地２と汗取りパッドの第１周縁部３２とが重なった状態にある当該腋穴輪郭に沿って縫製を施すことにより、汗取りパッド３と各スリット位置の裏地２とが、左前身頃１２および後身頃１１に対して縫い付けられ、かくして汗取りパッド３の肌着本体への取り付けが完了する。ここでは、左の腋穴５に対応する左の汗取りパッド３について説明したが、右の腋穴５に対応する右の汗取りパッド３についても同じ説明があてはまる（それゆえ重複説明はしない）。
【００２３】
本実施形態の和装肌着によれば、以下のような効果を奏することができる。
（ア）表地１及び裏地２として、和紙１００％の糸を織ることで得られた和紙製のガーゼ状織布を採用したことで、優れた吸汗性を得ることができる。加えて、優れた脱臭性をも得ることができる。
（イ）この和装肌着は和紙素材の肌着でありながらも、実用に耐える程度の耐洗濯性を有する。具体的には、洗濯機での洗濯を繰り返す耐洗濯性試験により、複数回の洗濯によっても直ちに型崩れ等を起こさないことが確認された。
（ウ）裏地２を上記のような帯状の布地とすることで、ヒトが最も汗を掻きやすい背中及び胸の上半部からの汗を十分に吸い取ることができる。
（エ）汗取りパッド３を設けたことで、腋汗を十分に吸い取ることができる。
（オ）いわゆるデリケート肌の人にとって、快適で且つ安心感を与える肌着となる。
ここで「デリケート肌」としては、例えばアトピー性皮膚炎を患っている人の肌や、例えば４０歳を超えた人の敏感肌をあげることができる。デリケート肌の人が従来素材（例えば麻）の和装肌着を着用すると、布地自体が刺激要因となってストレスを感じさせたり、肌荒れするかもしれないといった不安を高めたりすることがある。この点、本実施形態の和装肌着は、和紙素材で構成されているため刺激要因となりにくく、従って着用者が感じるストレスや肌荒れの不安を和らげることができる。
【００２４】
［変更例］
本発明は、上記の実施形態に限定されるものではなく、特許請求の範囲に記載した発明の範囲内において適宜変更して実施することが可能である。
上記実施形態の和装肌着では一対の汗取りパッド５を採用したが、これら汗取りパッド５を採用しない和装肌着としてもよい。
【符号の説明】
【００２５】
１  表地
２  裏地
３  汗取りパッド
５  腋穴
１１  後身頃
１２  左の前身頃
１３  右の前身頃
１４  左の袖
１５  右の袖
１６  紐
【図１】
2020015987.tif 000003
【図２】
2020015987.tif 000004
【図３】
2020015987.tif 000005
【図４】
2020015987.tif 000006
【図５】
2020015987.tif 000007